(57)【要約】【課題】転圧輪に設けられた作業棒の支持部材に対する着脱作業が容易であり、また、土落とし体によって作業棒に付着する土を良好に落とすことができる転圧輪を備えた農作業機を提供する。【解決手段】農作業機の一例である耕耘作業機は、耕耘作業を行う作業機本体と、作業機本体の後方に回転自在に支持され、作業機本体の幅方向に所定間隔を有して配置された複数の内側支持部材５７及び外側支持部材５５に取り付けられた作業棒６０を複数有する転圧輪５０とを備える。複数の作業棒６０の少なくともいずれかは、複数の内側支持部材５７及び外側支持部材５５に着脱可能に取り付けられる。作業棒６０を着脱可能に取り付ける内側支持部材５７の外周には、作業棒６０の取り付け時に作業棒６０の側面が内側支持部材５７の外周面よりも径方向外側へ突出した状態で作業棒６０を着脱可能に係止する係止凹部５７ａが設けられる。【選択図】  図４
2015039335.tif 000002
【特許請求の範囲】
【請求項１】
耕耘作業を行う作業機本体と、該作業機本体の後方に回転自在に支持され、前記作業機本体の幅方向に所定間隔を有して配置された複数の支持部材に取り付けられた作業棒を複数有する転圧輪とを備える農作業機において、
複数の前記作業棒の少なくともいずれかは、前記複数の支持部材に着脱可能に取り付けられ、
前記作業棒を着脱可能に取り付ける支持部材の外周には、前記作業棒の取り付け時に該作業棒の側面が前記支持部材の外周面よりも径方向外側へ突出した状態で前記作業棒を着脱可能に係止する係止凹部が設けられている
ことを特徴とする農作業機。
【請求項２】
前記着脱可能な作業棒は、前記転圧輪の幅方向端部に配設された支持部材に対して固定手段を介して着脱可能に固定される
ことを特徴とする請求項１に記載の農作業機。
【請求項３】
前記作業機本体には、前記転圧輪を回転自在に支持する支持アーム部材が設けられ、
前記支持アーム部材には、前記作業棒に付着した土を落とす土落とし体が設けられている
ことを特徴とする請求項１又は２に記載の農作業機。
【請求項４】
前記土落とし体は、前記転圧輪の幅方向に沿って延びるとともに、前記土落とし体の先端部が前記複数の作業棒の回転軌跡の内側へ延びて前記作業棒に弾性変形可能に接触し、
前記土落とし体の幅方向端部には、前記転圧輪の幅方向端部に設けられた支持部材の径方向外側端部が通過可能な通過凹部が設けられている
ことを特徴とする請求項３に記載の農作業機。
【請求項５】
前記土落とし体は、前記転圧輪に対して接近及び離反可能に前記支持アーム部材に設けられている
ことを特徴とする請求項３又は４に記載の農作業機。
【発明の詳細な説明】
【技術分野】
【０００１】
本発明は、耕耘作業を行う作業機本体と、作業機本体の後方に回転自在に支持されて複数の作業棒が設けられた転圧輪とを備える農作業機に関するものである。
【背景技術】
【０００２】
農作業機の一例である耕耘作業機によって耕耘された耕土は、一般的に、隙間の多い状態にあり、耕耘作業機の整地板によって耕土表面を整地しても、隙間を小さくして締め固めることは困難である。このため、耕耘後の耕土は播種には適さず、また風が吹くと土が舞う等の不都合が生じる。そこで、耕耘作業機によって耕耘された耕土の表面を転圧可能な転圧輪が一般的に使用されている。
【０００３】
この転圧輪は、特許文献１に記載されているように、耕耘作業機の後方に設けられた支持フレーム部に支持され、耕耘作業機の幅方向に所定間隔を有して配置された複数の支持部材と、これらの支持部材間に亘って装着された複数の作業棒とを有してなる。
【０００４】
支持部材の周縁部には、その周方向に等間隔を有して凸状の支持部が複数形成され、支持部には作業棒を挿通可能な孔部が設けられている。複数の支持部材のうち転圧輪の幅方向両端部に配置された支持部材は、板状に形成され、転圧輪の幅方向内側に配置された支持部材は、内側が中空な環状に形成されている。作業棒は、転圧輪の幅方向一端側から他端側に延びるに前後方向一方側に傾斜するように複数の支持部材の各孔部に挿通された状態で支持されている。
【０００５】
また、耕耘作業機には、転圧輪の回転時に作業棒に付着する土を落とすための土落とし体が設けられている。この土落とし体は、転圧輪を支持する支持フレーム部に固定されている。土落とし体は、板状に形成されて弾性変形可能であり、転圧輪の幅方向に延びるとともに下端部が転圧輪に内部に延びて、作業棒に対して所望の接触圧を持って接触して、作業棒に付着した土を掻き落とす。
【先行技術文献】
【特許文献】
【０００６】
【特許文献１】特開２０１１−７８３３０号公報
【発明の概要】
【発明が解決しようとする課題】
【０００７】
特許文献１に記載の転圧輪の作業棒は、圃場の水分や土質等によって土が付着する場合があり、圃場の土が粘湿土の場合には、作業棒に土が付着するのみならず、周方向に隣接する他の作業棒との間隔にも土が挟まった状態で付着する虞がある。また、圃場に小石等の塊体が存在する場合には、周方向に隣接する他の作業棒との間の間隔に塊体が挟まる虞がある。従って、従来の転圧輪は、圃場の耕土を隙間なく締め固めることができなくなる虞が生じ、圃場の水分や土質等によって作業棒の数を増減する必要性がある。
【０００８】
しかしながら、従来の転圧輪の作業棒は、前述したように耕耘作業機幅方向に配設された複数の支持部材の各支持部の孔部に挿通された状態で転圧輪に支持されているので、作業棒を増減する作業時に、複数の支持部材の一端側から他端側に作業棒を順番に孔部に挿抜する作業が必要であり、この作業は作業者にとって煩わしい。
【０００９】
また、作業棒は支持部の内側に設けられた孔部に挿通されるので、支持部の外周は作業棒の側面よりも外側に位置する。このため、支持部周辺の作業棒には、支持部が邪魔をして土落とし体が作業棒に接触しにくくなり、土落とし体による土掻き落とし効果が不十分になる虞がある。そこで、土落とし体には、支持部に接触する部分に凹部を設けているが、凹部の幅は支持部の幅よりも大きいので、土落とし体が土に接触しない領域があり、土落とし体による土掻き落とし効果が不十分であった。
【００１０】
本発明は、このような問題に鑑みてなされたものであり、転圧輪に設けられた作業棒の増減時に作業棒の支持部材に対する着脱作業が容易であり、また、土落とし体によって作業棒に付着する土を良好に落とすことができる転圧輪を備えた農作業機を提供することを目的とする。
【課題を解決するための手段】
【００１１】
上記目的を達成するために本発明の農作業機は、耕耘作業を行う作業機本体と、該作業機本体の後方に回転自在に支持され、作業機本体の幅方向に所定間隔を有して配置された複数の支持部材に取り付けられた作業棒を複数有する転圧輪とを備える農作業機において、複数の作業棒の少なくともいずれかは、複数の支持部材に着脱可能に取り付けられ、作業棒を着脱可能に取り付ける支持部材の外周には、作業棒の取り付け時に該作業棒の側面が支持部材の外周面よりも径方向外側へ突出した状態で作業棒を着脱可能に係止する係止凹部が設けられていることを特徴とする。
【００１２】
また、本発明の着脱可能な作業棒は、転圧輪の幅方向端部に配設された支持部材に対して固定手段を介して着脱可能に固定されることを特徴とする。
【００１３】
また、本発明の作業機本体には、転圧輪を回転自在に支持する支持アーム部材が設けられ、支持アーム部材には、作業棒に付着した土を落とす土落とし体が設けられていることを特徴とする。
【００１４】
また、本発明の土落とし体は、転圧輪の幅方向に沿って延びるとともに、土落とし体の先端部が複数の作業棒の回転軌跡の内側へ延びて作業棒に弾性変形可能に接触し、土落とし体の幅方向端部には、転圧輪の幅方向端部に設けられた支持部材の径方向端部が通過可能な通過凹部が設けられていることを特徴とする。
【００１５】
また、本発明の土落とし体は、転圧輪に対して接近及び離反可能に支持アーム部材に設けられていることを特徴とする。
【発明の効果】
【００１６】
本発明に係わる農作業機によれば、上記特徴を有することにより、転圧輪に設けられた作業棒の支持部材に対する着脱作業が容易であり、また、土落とし体によって作業棒に付着する土を良好に落とすことができる転圧輪を備えた農作業機を提供することができる。
【図面の簡単な説明】
【００１７】
【図１】本発明の第１実施形態に係わる転圧輪を備えた耕耘作業機の側面図を示す。
【図２】転圧輪が設けられた耕耘作業機の背面図を示す。
【図３】転圧輪の背面側の斜視図を示す。
【図４】転圧輪の背面側の拡大斜視図を示す。
【図５】転圧輪の側面側の斜視図を示す。
【図６】本発明の第２実施形態に係わる転圧輪の側面側の部分斜視図を示す。
【図７】本発明の第３実施形態に係わる転圧輪を示し、同図（ａ）は転圧輪の側面側の部分斜視図であり、同図（ｂ）は作業棒の一端側の部分斜視図である。
【図８】本発明の第４実施形態に係わる転圧輪を示し、同図（ａ）は転圧輪の側面側の部分斜視図であり、同図（ｂ）は作業棒の一端側の部分斜視図である。
【発明を実施するための形態】
【００１８】
[第１実施形態]
以下、本発明の農作業機の好ましい第１実施形態を図１〜図５に基づいて説明する。本実施の形態は、農作業機のうち圃場の土を耕耘する耕耘作業機を例にして以下説明する。なお、耕耘作業機の前進方向に対して耕耘作業機幅方向を左右方向として、以下説明する。
【００１９】
耕耘作業機１は、図１（側面図）及び図２（背面図）に示すように、耕耘作業機１の左右方向に延びる主フレーム３を有した作業機本体５と、作業機本体５の後方に回転自在に支持された転圧輪５０とを有してなる。作業機本体５の前部には、走行機体９０の後部に設けられた図示しない３点リンク連結機構に連結されるトップマスト６とロアーリンク連結部７とが設けられて、走行機体９０の後部に対して昇降可能に装着される。主フレーム３の左右方向の中央部には前方へ突出する入力軸８ａを備えたギアボックス８が設けられ、走行機体９０のＰＴＯ軸からユニバーサルジョイント等の動力伝達手段を介して動力が入力軸８ａに伝達されるようになっている。
【００２０】
主フレーム３の左側端部には、チェーン伝動ケース９が垂設され、主フレーム３の右側端部には側部フレーム１０（図２参照）がチェーン伝動ケース９と対向して垂設されている。チェーン伝動ケース９に接続された主フレーム３の左側の部分及びチェーン伝動ケース９内には伝動機構が設けられ、チェーン伝動ケース９と側部フレーム１０の下端部間に多数の耕耘爪１２を取り付けたロータリ作業体１１が回転自在に設けられている。そして、入力軸８ａに伝達された動力は、ギアボックス８を介して主フレーム３及びチェーン伝動ケース９内の伝動機構に伝達されて、ロータリ作業体１１を所定方向に回転させる。
【００２１】
ロータリ作業体１１の上側は、上部カバー１５（図２参照）によって覆われ、この上部カバー１５の左右方向両端部には側部カバー１７（図１参照）が設けられている。上部カバー１５は、ロータリ作業体１１の前側から後方側に延び、上部カバー１５の後端部には、整地板２０が上下方向に回動自在に取り付けられている。
【００２２】
整地板２０は上部カバー１５の後端から斜め下方へ延び、整地板２０の後端部によって耕土表面を平らに整地する。整地板２０の背面と主フレーム３との間には、整地板２０の傾き角度を調節する角度調節装置２２が設けられている。整地板２０の左右方向両端部には整地板２０による整地作業を延長可能な延長整地板２４が展開且つ折り畳み可能に設けられている。なお、図１には延長整地板２４の記載が省略されている。作業機本体５の前部の両側には、ロータリ作業体１１の耕深の調整を行う接地輪２６が一対設けられている。
【００２３】
このように構成された耕耘作業機１は、走行機体９０の前進走行に伴って進行しながら、ロータリ作業体１１によって耕土を耕耘し、整地板２０によって耕耘された耕土表面を整地する。この耕耘された耕土を転圧するのが転圧輪５０である。
【００２４】
転圧輪５０は、耕耘作業機１の作業機本体５の後方に配置され、主フレーム３に設けられた支持機構３０を介して上下且つ前後方向に位置調整可能に設けられている。支持機構３０は、主フレーム３の左右方向（長手方向）中間部に所定距離を有して並設されて前端部が主フレーム３に回動自在に接続されて後方側へ延びる一対の支持アーム部材３１と、一対の支持アーム部材３１の前後方向中間部間を連結する前側連結部材３２（図２参照）とトップマスト６との間に接続された伸縮ロッド３４とを有してなる。
【００２５】
伸縮ロッド３４の前端部には、操作ハンドル３４ａが回転自在に設けられ、この操作ハンドル３４ａを回転させると、伸縮ロッド３４は伸縮するように構成されている。また、伸縮ロッド３４には圧縮ばね３５が装着されている。この圧縮ばね３５は、通常の作業時には転圧輪５０を圃場に附勢し、転圧輪５０に石等の障害物が衝突した時には縮小して転圧輪５０に作用する衝撃を吸収する。
【００２６】
一対の支持アーム部材３１の後側には、これら支持アーム部材３１間を連結する後側連結部材３６が設けられている。後側連結部材３６の左右方向両端部には下方が開口した逆Ｕ字状の取付部材３７が支持アーム部材３１に沿って前後方向に移動可能に設けられている。取付部材３７はボルト３９（図２参照）を介して支持アーム部材３１に締結される。支持アーム部材３１には、前後方向に所定間隔を有して複数のねじ孔３１ａ（図１参照）が設けられ、このねじ孔３１ａのいずれかにボルト３９を螺合させることで、支持アーム部材３１に対する取付部材３７の前後位置を調整して、取付部材３７を支持アーム部材３１に固定することができる。
【００２７】
後側連結部材３６の左右方向の中央下部には前後方向に延びる連結軸３８が設けられ、この連結軸３８に転圧輪５０を支持するフレーム４０が回動自在に支持されている。このため、転圧輪５０は連結軸３８を回動中心として転圧輪５０の両側が上下方向に回動自在である。
【００２８】
フレーム４０は、転圧輪５０の上方を転圧輪５０の軸方向（左右方向）に沿って延びるフレーム上部４０ａと、フレーム上部４０ａの両端部に接続されて下方へ延びる左右一対のフレーム側部４０ｂとを有してなる。
【００２９】
フレーム上部４０ａの長手方向（左右方向）中央部には、連結軸３８を通すための連結板４１が上方へ突出して設けられている。一方、フレーム側部４０ｂは、板状であって側面視において長方形状に形成され、このフレーム側部４０ｂに転圧輪５０の一部である軸部５１が固定されている（図３参照）。
【００３０】
転圧輪５０は、図２及び図３（背面側斜視図）に示すように、作業機本体５の左右方向に所定間隔を有して配置された複数の支持部材５３と、複数の支持部材５３に取り付けられた作業棒６０と、転圧輪５０の左右方向両端部に設けられた軸部５１とを有してなる。
【００３１】
作業棒６０は、断面が円形状の丸棒である。作業棒６０の一方側端部（本実施例では右側端部）には、ピン６２を挿入するための挿入孔部６０ａが形成されている（図３参照）。
【００３２】
複数の支持部材５３のうち転圧輪５０の左右方向両端部に配設された支持部材（以下、「外側支持部材５５」と記す。）は、板状に形成されている。この外側支持部材５５の左右方向外側の中心部には、前述した軸部５１が外側支持部材５５に対して回転自在に設けられている。このため、外側支持部材５５は、軸部５１に対して回転自在である。外側支持部材５５の周縁部には、周方向に所定間隔を有して配置された複数の孔部５５ａ（図３参照）が設けられている。孔部５５ａは、外側支持部材５５の軸芯方向と略平行に延びて設けられている。この孔部５５ａに前述した作業棒６０が挿入される。
【００３３】
複数の支持部材５３のうち転圧輪５０の左右方向両端部に配設された外側支持部材５５よりも内側に配置された支持部材５３（以下、「内側支持部材５７」と記す。）は、環状に形成されている。これらの内側支持部材５７の外径は、外側支持部材５５の外径よりも小径である。なお、図２では、内側支持部材５７が４個設けられた転圧輪５０を示し、図３では、内側支持部材５７が８個設けられた転圧輪５０を示している。内側支持部材５７の数は、４個や８個に限るものではなく、１個以上であればよい。
【００３４】
内側支持部材５７の周縁部には、図４に示すように、周方向に所定間隔を有して配置された複数の係止凹部５７ａが設けられている。この係止凹部５７ａに前述した作業棒６０が着脱可能に挿入される。これらの係止凹部５７ａは、外側支持部材５５に設けられた複数の孔部５５ａと周方向に同一ピッチを有して内側支持部材５７に設けられている。
【００３５】
係止凹部５７ａは、側面視において内側支持部材５７の周縁部側が開口した半円状に形成されている。係止凹部５７ａの内径は作業棒６０の内径よりも僅かに大きな径を有している。このため、作業棒６０が係止凹部５７ａに挿入されると、作業棒６０は係止凹部５７ａに嵌合された状態で着脱可能に係止凹部５７ａに係止される。また、作業棒６０が係止凹部５７ａに挿入されると、作業棒６０の側面は内側支持部材５７の外周面よりも径方向外側へ突出した状態で係止凹部５７ａに係止される。つまり、作業棒６０は、内側支持部材５７及び外側支持部材５５によって転圧輪５０の回転中心に対して所定の径を有した位置上に支持される。
【００３６】
なお、係止凹部５７ａは、半円状に限るものではなく、作業棒６０を着脱可能に係止できれば側面視においてＵ字状、矩形状等でもよい。
【００３７】
左右方向に隣接する内側支持部材５７は、一方の内側支持部材５７の係止凹部５７ａに対して他方の内側支持部材５７の係止凹部５７ａの位相がずれるように配置されている。このため、着脱可能な作業棒６０を複数の内側支持部材５７間に亘って掛け渡して各内側支持部材５７の係止凹部５７ａに挿入すると、作業棒６０は転圧輪５０の軸方向一端側から他端側に向かって前後方向に斜めに延びた状態で支持される。
【００３８】
作業棒６０の一方側端部は、図５に示すように、外側支持部材５５の孔部５５ａに挿通された状態で外側支持部材５５の外側へ突出し、この外側へ突出する作業棒６０の挿入孔部６０ａにピン６２が挿入されている。一方、作業棒６０の他方側端部は、外側支持部材５５の孔部５５ａに挿通された状態で外側支持部材５５に支持されている。このため、作業棒６０は、外側支持部材５５の孔部５５ａから抜脱が規制された状態で、外側支持部材５５に取り付けられる。
【００３９】
また、転圧輪５０に着脱可能に取り付けられた作業棒６０を取り外す場合には、ピン６２を作業棒６０から抜脱し、作業棒６０を挿入孔部６０ａから引き抜き、作業棒６０を複数の内側支持部材５７の各係止凹部５７ａから取り外す。
【００４０】
なお、本実施例では、複数の作業棒６０のうち３本の作業棒６０がピン６２を介して外側支持部材５５に着脱可能に固定され、残りの作業棒６０は溶接等によって外側支持部材５５及び内側支持部材５７に固着されている（図４参照）。
【００４１】
このように構成された転圧輪５０の上方には、転圧輪５０の作業棒６０に付着した土を落とすための土落とし体４３が設けられている。土落とし体４３は、図２及び図３に示すように、板状に形成され、転圧輪５０の軸方向（左右方向）に沿って延びる。土落とし体４３は、弾性変形可能なゴム製であり、土落とし体４３の上部は、固定板４４を介してボルト４５等によってフレーム４０のフレーム上部４０ａに固定されている。
【００４２】
土落とし体４３の下部は、複数の作業棒６０の回転軌跡の内側に延びて作業棒６０に弾性変形可能に接触する。このため、転圧輪５０が回転すると、作業棒６０の回転に伴って土落とし体４３が作業棒６０に接触しながら弾性変形して作業棒６０に付着した土を掻き落とすことができる。
【００４３】
また、作業棒６０は内側支持部材５７に対して作業棒６０の側面が内側支持部材５７の外周面よりも外側へ突出した位置に配置されているので、土落とし体４３による土の掻き落とし時に、内側支持部材５７が邪魔をすることはなく、作業棒６０に付着する土を確実に掻き落とすことができる。
【００４４】
また、外側支持部材５５に支持される作業棒６０は、外側支持部材５５に設けられた孔部５５ａに挿入されて支持されるので、作業棒６０の側面よりも外側に外側支持部材５５の外周面が位置する。このため、外側支持部材５５の左右両側から延出する作業棒６０に土落とし体４３が接触しない領域を大きくしている。そこで、土落とし体４３の左右両側の外側支持部材５５に対向する部分には、外側支持部材５５の径方向外側端部が通過可能な通過凹部５５ｂが設けられている。通過凹部５５ｂは、背面視において長方形状に形成されて下部が開口している。
【００４５】
この通過凹部５５ｂ内に外側支持部材５５の径方向外側端部が挿入された状態になると、外側支持部材５５の左右両側から延出する作業棒６０の外側支持部材側に近傍に土落とし体を接触させることができる。このため、作業棒６０に土落とし体４３が接触しない領域を小さくすることができる。
【００４６】
次に、耕耘作業機１によって圃場を耕耘する場合の耕耘作業機１の作動について説明する。先ず、図１に示すように、転圧輪５０の上下位置及び前後位置を調整し、転圧輪５０を圃場の表面に載置した状態にする。そして、走行機体９０の前進走行に伴って耕耘作業機１を前進させる。耕耘作業機１の前進時にはロータリ作業体１１の回転によって圃場の土が耕耘され、整地板２０によって耕耘された圃場の土の圃場表面が整地され、さらに転圧輪５０が耕耘作業機１の前進に伴って矢印Ａ方向に回転する。
【００４７】
転圧輪５０が回転すると、転圧輪５０の複数の作業棒６０によって、整地板２０で整地された土を押圧する。従って、耕耘された土の隙間は小さくなり、播種に適した耕土にすることができ、また風が吹いても土が多量に舞う事態を防止することができる。
【００４８】
ここで、転圧輪５０の回転時に作業棒６０に土Ｓが付着すると、図４に示すように、土落とし体４３によって土Ｓを掻き落とすことができる。前述したように、転圧輪５０の作業棒６０はこの側面が内側支持部材５７の径方向外側端面よりも外側に突出した状態で内側支持部材５７に支持されている。このため、土落とし体４３による土の掻き落とし時に、内側支持部材５７が邪魔をすることはない。従って、土落とし体４３によって作業棒６０に付着する土Ｓを良好に掻き落とすことができる。
【００４９】
また、着脱可能な作業棒６０を転圧輪５０に取り付ける場合には、図３に示すように、作業棒６０の一方の軸方向端部を外側支持部材５５の内側から外側へ向かって孔部５５ａに挿入した後に、作業棒６０の他方の軸方向端部を外側支持部材５５の内側から外側へ向かって孔部５５ａに挿入し、作業棒６０の軸方向中間部を複数の内側支持部材５７の各係止凹部５７ａに係止させ、ピン６２を作業棒６０の一対の軸方向端部に挿入する。一方、着脱可能な作業棒６０を転圧輪５０から取り外す場合には、ピン６２を作業棒６０の軸方向端部から抜脱し、作業棒６０の一方の軸方向端部を外側支持部材５５の孔部５５ａから抜脱した後に、作業棒６０の他方の軸方向端部を外側支持部材５５の孔部５５ａから抜脱し、作業棒６０の軸方向中間部を内側支持部材５７の係止凹部５７ａから引き抜く。
【００５０】
このように着脱可能な作業棒６０を転圧輪５０に取り付け及び取り外す着脱作業は、作業棒６０を外側支持部材５５の孔部５５ａに挿抜する作業と、作業棒６０を係止凹部５７ａに対して押圧し及び引き抜く作業のみである。また、これらの作業は単純な作業である。このため、作業者は作業棒６０の着脱作業を容易に行うことができ、煩わしく感じることもない。
【００５１】
[第２実施形態]
次に、本発明の農作業機の第２実施形態を、図６を参照しながら説明する。第２実施形態では、前述した第１実施形態との相違点のみを説明する。第２実施形態の転圧輪６４における着脱可能な作業棒６５の軸方向両端部には、図６に示すように、前述したピン６２（図５参照）が挿入される挿入孔部６０ａは無い。このため、作業棒６５の軸方向両端部は、対応する外側支持部材６６の孔部６６ａに挿入された状態で支持される。
【００５２】
外側支持部材６６は、その周縁部に周方向に所定距離を有して係止凹部５７ａと径方向外側へ突出する凸部６６ｂが交互に設けられている。凸部６６ｂは側面視において半円状に形成され、凸部６６ｂの中央部分には作業棒６５を通すための孔部６６ａが設けられている。この孔部６６ａは、孔部６６ａに挿入される作業棒６５と係止凹部５７ａに固着された他の作業棒６５とが転圧輪６４の回転中心軸に対して同心円上に配置されるように設けられている。係止凹部５７ａに挿入された他の作業棒６５は、溶着等によって外側支持部材６６に固着されている。
【００５３】
ここで、作業棒６５は、前述した第１実施形態の転圧輪５０と同様に、転圧輪６４の左右方向一方側から他方側へ延びるにしたがって前後方向に斜めに延びた状態で支持されている。このため、作業棒６５と孔部６６ａとの間で摩擦力が発生して、作業棒６５が外側支持部材６６の孔部６６ａから抜脱されにくい。従って、転圧輪６４の回転時に、作業棒６５の軸方向端部にピン６２を装着しなくても、作業棒６５が外側支持部材６６から抜脱される虞はない。
【００５４】
このように、作業棒６５にピン６２を挿入可能な孔部が設けられていないことで、ピン６２を挿抜する作業が不要となり、作業棒６５を転圧輪６４の外側支持部材６６に対して着脱する作業をより容易にすることができる。
【００５５】
[第３実施形態]
次に、本発明の農作業機の第３実施形態を、図７（ａ）及び図７（ｂ）を参照しながら説明する。第３実施形態では、前述した第２実施形態との相違点のみを説明する。第３実施形態の転圧輪７０に着脱可能に取り付けられる作業棒７１の一方側の軸方向端部には、図７（ａ）及び図７（ｂ）に示すように、板状の固定板７２が溶接等によって固着されている。固定板７２の長手方向一方側には、作業棒７１を通す孔部７２ａが設けられ、この孔部７２ａに挿通された作業棒７１の軸方向端部が固定板７２に溶接溶によって固着されている。また、固定板７２の長手方向他方側には、ボルト７３を通すための孔部７２ｂが設けられている。
【００５６】
一方、外側支持部材６６には、着脱可能な作業棒７１が挿入される孔部６６ａよりも内側の部分にボルト７３を螺合させるねじ孔（図示せず）が設けられている。このため、外側支持部材６６の孔部に着脱可能な作業棒７１を外側支持部材６６の左右方向外側から挿入し、固定板７２の孔部７２ｂと外側支持部材６６のねじ孔を連通させた状態で、固定板７２を介してボルト７３をねじ孔に螺合させことで、作業棒７１を外側支持部材６６に固定することができる。なお、作業棒７１の他方側の軸方向端部には、前述した固定板７２が設けられていない。作業棒７１の軸方向他方側に固定板７２を設けると、左右一対の外側支持部材６６に作業棒７１を挿着することができなくなるからである。
【００５７】
このように、作業棒７１に固定板７２を設けることで、作業棒７１を外側支持部材６６に確実に固定することができ、作業時に作業棒７１が遊ぶ虞を防止することができるとともに、作業棒７１が外側支持部材６６の孔部から抜脱される事態を確実に防止することができる。
【００５８】
[第４実施形態]
次に、本発明の農作業機の第４実施形態を、図８（ａ）及び図８（ｂ）を参照しながら説明する。第４実施形態では、前述した第３実施形態との相違点のみを説明する。第４実施形態の転圧輪７５に着脱可能に取り付けられる作業棒７１の軸方向端部の内側面には、図８（ｂ）に示すように、板状の固定板７６が溶接等によって固着されている。この固定板７６の一方側の端部は作業棒７１の内側の側面に沿って接触して溶接等によって固着され、固定板７６の他方側にはボルト７３を通すための孔部７６ａが設けられている。
【００５９】
外側支持部材７８は、図８（ａ）に示すように、板状に形成され、その周縁部には、作業棒６５，７１の内側半分を係止可能な係止凹部５７ａが周方向に所定間隔を有して複数設けられている。着脱可能な作業棒７１が挿入された係止凹部５７ａよりも内側の部分には、ボルト７３を螺合させるねじ孔（図示せず）が設けられている。このため、外側支持部材７８の係止凹部５７ａに着脱可能な作業棒７１を挿入し、固定板７６の孔部７６ａと外側支持部材７８のねじ孔を連通させた状態で、固定板７６を介してボルト７３をねじ孔に螺合させことで、作業棒７１の外側半分を外側支持部材７８の外周面よりも径方向外側へ突出させた状態で作業棒７１を外側支持部材７８に固定することができる。なお、作業棒７１の他方側の軸方向端部にも、前述した固定板７６が設けられている。
【００６０】
このように、作業棒７１の軸方向端部の内側面に固定板７６を設けることで、作業棒７１を外側支持部材７８に確実に固定することができ、作業時に作業棒７１が遊ぶ虞を防止することができる。また、作業棒７１の内側半分を係止凹部５７ａ内に挿入すると、作業棒７１の外側半分が外側支持部材７８の外周面よりも径方向外側へ突出した状態となって、固定板７６を介して作業棒７１を外側支持部材７８に固定することができる。このため、前述した土落とし体４３（図４参照）を外側支持部材７８に固定された作業棒７１の外側部分に確実に接触させることができ、土落とし体４３が作業棒７１に接触しない領域を無くすことができる。従って、土落とし体４３により作業棒７１に付着した土の掻き落とし効果をより向上させることができる。
【００６１】
なお、前述した第１実施例では、転圧輪５０に設けられた複数の作業棒６０のうち着脱可能な作業棒６０が３本の場合を示したが、着脱可能な作業棒は１本、２本、又は３本以上であってもよい。また、作業棒６０は転圧輪５０の軸芯方向に対して前後方向に傾斜するように延びて取り付けられる場合を示したが、作業棒６０を転圧輪５０の軸芯方向に沿った略平行に延びるように配設してもよい。
【符号の説明】
【００６２】
１  耕耘作業機（農作業機）
５  作業機本体
４０  フレーム（支持アーム部材）
４３  土落とし体
５０、６４、７０、７５  転圧輪
５３  支持部材
５５、６６、７８  外側支持部材（支持部材）
５５ｂ  通過凹部
５７  内側支持部材（支持部材）
５７ａ  係止凹部
６０、６５、７１  作業棒
６２  ピン（固定手段）
７２、７６  固定板（固定手段）
７３  ボルト（固定手段）
【図１】
2015039335.tif 000003
【図２】
2015039335.tif 000004
【図３】
2015039335.tif 000005
【図４】
2015039335.tif 000006
【図５】
2015039335.tif 000007
【図６】
2015039335.tif 000008
【図７】
2015039335.tif 000009
【図８】
2015039335.tif 000010